【手続補正書】
【提出日】令和3年9月10日(2021.9.10)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
動作可能な可動体と、
発光可能な発光手段と、
前記可動体の動作に応じて前記発光手段を発光させる制御が可能な制御手段と、
を備え、
前記制御手段は、前記可動体が所定動作を終了したことによって成立可能な第１終了条件、または前記可動体が前記所定動作を終了したが前記第１終了条件が成立せずに該所定動作の開始から所定時間が経過したときに成立可能な第２終了条件、のいずれかが成立したときに前記発光手段を発光させる制御を終了し、
前記可動体が前記所定動作を終了したことを検出可能な動作終了検出手段をさらに備え、
前記制御手段は、前記動作終了検出手段により前記可動体が前記所定動作を終了したことが検出されたときに前記第１終了条件が成立したと判定する
ことを特徴とする遊技機。
【請求項２】
遊技が可能な遊技機であって、
動作可能な可動体と、
音を出力可能な音出力手段と、
前記可動体の動作に応じて前記音出力手段から音を出力させる制御が可能な制御手段と、
を備え、
前記制御手段は、前記可動体が所定動作を終了したことによって成立可能な第１終了条件、または前記可動体が前記所定動作を終了したが前記第１終了条件が成立せずに該所定動作の開始から所定時間が経過したときに成立可能な第２終了条件、のいずれかが成立したときに前記音出力手段から音を出力させる制御を終了し、
前記可動体が前記所定動作を終了したことを検出可能な動作終了検出手段をさらに備え、
前記制御手段は、前記動作終了検出手段により前記可動体が前記所定動作を終了したことが検出されたときに前記第１終了条件が成立したと判定する
ことを特徴とする遊技機。
【手続補正２】
【補正対象書類名】明細書
【補正対象項目名】０００２
【補正方法】変更
【補正の内容】
【０００２】
パチンコ遊技機やスロットマシン等の遊技機において、動作可能な可動体と、発光可能な発光手段と、を備えたものがある。
【手続補正３】
【補正対象書類名】明細書
【補正対象項目名】０００３
【補正方法】変更
【補正の内容】
【０００３】
この種の遊技機において、可動体の制御と同期して発光手段の制御を行うもの等があった（例えば、特許文献１参照）。
【手続補正４】
【補正対象書類名】明細書
【補正対象項目名】０００４
【補正方法】変更
【補正の内容】
【０００４】
【特許文献１】特開２００４−２４２８７６号公報
【手続補正５】
【補正対象書類名】明細書
【補正対象項目名】０００５
【補正方法】変更
【補正の内容】
【０００５】
上記特許文献１に記載の遊技機では、可動体に不具合が生じて正常に動作できなかった場合などにおいて、発光制御が終了することなく継続的に実行されてしまい、遊技者に違和感を与えてしまうことがあるという問題があった。
【手続補正６】
【補正対象書類名】明細書
【補正対象項目名】０００６
【補正方法】変更
【補正の内容】
【０００６】
本発明は、このような問題点に着目してなされたもので、可動体に応じて好適に演出を行うことができる遊技機を提供することを目的とする。
【手続補正７】
【補正対象書類名】明細書
【補正対象項目名】０００７
【補正方法】変更
【補正の内容】
【０００７】
手段Ａの遊技機は、
遊技が可能な遊技機であって、
動作可能な可動体と、
発光可能な発光手段と、
前記可動体の動作に応じて前記発光手段を発光させる制御が可能な制御手段と、
を備え、
前記制御手段は、前記可動体が所定動作を終了したことによって成立可能な第１終了条件、または前記可動体が前記所定動作を終了したが前記第１終了条件が成立せずに該所定動作の開始から所定時間が経過したときに成立可能な第２終了条件、のいずれかが成立したときに前記発光手段を発光させる制御を終了し、
前記可動体が前記所定動作を終了したことを検出可能な動作終了検出手段をさらに備え、
前記制御手段は、前記動作終了検出手段により前記可動体が前記所定動作を終了したことが検出されたときに前記第１終了条件が成立したと判定する
ことを特徴としている。
この特徴によれば、可動体の動作に応じた発光制御を好適に実行することができる。
手段Ｂの遊技機は、
遊技が可能な遊技機であって、
動作可能な可動体と、
音を出力可能な音出力手段と、
前記可動体の動作に応じて前記音出力手段から音を出力させる制御が可能な制御手段と、
を備え、
前記制御手段は、前記可動体が所定動作を終了したことによって成立可能な第１終了条件、または前記可動体が前記所定動作を終了したが前記第１終了条件が成立せずに該所定動作の開始から所定時間が経過したときに成立可能な第２終了条件、のいずれかが成立したときに前記音出力手段から音を出力させる制御を終了し、
前記可動体が前記所定動作を終了したことを検出可能な動作終了検出手段をさらに備え、
前記制御手段は、前記動作終了検出手段により前記可動体が前記所定動作を終了したことが検出されたときに前記第１終了条件が成立したと判定する
ことを特徴としている。
この特徴によれば、可動体の動作に応じた音出力制御を好適に実行することができる。
手段１の遊技機は、
遊技が可能な遊技機（例えば、パチンコ遊技機１Ａ）であって、
第１位置（例えば、第１原点位置、第１原点対応位置）から移動可能な可動体（例えば、第１可動体３０１、第１可動部３５１、第２可動部３５２、第３可動部３５３）を備え、
前記第１位置から移動した前記可動体を該第１位置よりも下方の第２位置（例えば、第２中間位置、第１中間対応位置）にて停止させた後、該第２位置よりも下方の第３位置（例えば、第１演出位置、第１演出対応位置）へ移動させることが可能であり（例えば、第１可動体３０１を落下させる可動体演出においては、第１可動体３０１を第１原点位置から落下（移動）させ、駆動体３１０Ｌ，３１０Ｒにより第１中間位置にて受け止めた後、駆動体３１０Ｌ，３１０Ｒを中間位置から下方位置まで移動させることにより、第１可動体３０１を第１中間位置から第１演出位置まで落下（移動）させる。）、
前記可動体の前記第２位置から前記第３位置への移動を補助する移動補助手段（例えば、係止部材３４０Ｌ，３４０Ｒ及び補助側壁３４４Ｌ，３４４Ｒ、駆動体３１０Ｌ，３１０Ｒ、案内軸３０６Ｌ，３０６Ｒ、第１昇降用モータ３０４Ｌ，３０４Ｒ）を備える（図８−１９、図８−２０参照）
ことを特徴としている。
この特徴によれば、可動体を第２位置で停止させた後でも好適に第３位置へ移動させることができる。
【手続補正８】
【補正対象書類名】明細書
【補正対象項目名】０００８
【補正方法】変更
【補正の内容】
【０００８】
手段２の遊技機は、手段１に記載の遊技機であって、
所定の駆動源（例えば、第１昇降用モータ３０８Ｌ，３０８Ｒ）により移動可能であり、前記第１位置（例えば、第１原点位置）から移動した前記可動体（例えば、第１可動体３０１、第１可動部３５１）を受け止め可能な駆動体（例えば、駆動体３１０Ｌ，３１０Ｒ）を備え、
前記駆動体により前記可動体を前記第２位置（例えば、第１中間位置、第１中間対応位置）にて受け止めた後、該駆動体を下方へ移動させることにより前記可動体を前記第３位置（例えば、第１演出位置、第１演出対応位置）へ移動可能となり、
前記移動補助手段の少なくとも一部は、前記駆動体に設けられている（例えば、駆動体３１０Ｌ，３１０Ｒの外側方には、アーム３０９Ｌ，３０９Ｒの係止凹部３１９Ｌ，３１９Ｒに係脱可能な係止部材３４０Ｌ，３４０Ｒが上向きに設けられている。図８−８参照）
ことを特徴としている。
この特徴によれば、駆動体を利用して可動体の第２位置から第３位置への移動を補助することができる。
【手続補正９】
【補正対象書類名】明細書
【補正対象項目名】０００９
【補正方法】変更
【補正の内容】
【０００９】
手段３の遊技機は、手段２に記載の遊技機であって、
前記移動補助手段は、
前記可動体（例えば、第１可動体３０１、第１可動部３５１の係止凹部３１９Ｌ，３１９Ｒ）に係止可能な係止可能状態と係止解除状態とに変化可能に前記駆動体（例えば、駆動体３１０Ｌ，３１０Ｒ）に設けられた係止部（例えば、係止部材３４０Ｌ，３４０Ｒの係止爪３４０Ａ）と、
前記可動体を前記第２位置（例えば、第１中間位置、第１中間対応位置）にて受け止めた後、該駆動体を下方へ移動させるときに前記係止部に作用することで、前記係止解除状態から前記係止可能状態に変化させる作用部（例えば、傾斜壁３４３Ｌ，３４３Ｒや補助側壁３４４Ｌ，３４４Ｒ）と、
を備える（図８−８、図８−１９、図８−２０参照）
ことを特徴としている。
この特徴によれば、駆動体の下方への移動を利用して係止部を係止可能状態に変化させることができる。
【手続補正１０】
【補正対象書類名】明細書
【補正対象項目名】００１０
【補正方法】変更
【補正の内容】
【００１０】
手段４の遊技機は、手段３に記載の遊技機であって、
前記駆動体（例えば、駆動体３１０Ｌ，３１０Ｒ）は、前記係止部（例えば、係止部材３４０Ｌ，３４０Ｒの係止爪３４０Ａ）が前記係止解除状態となるように付勢する付勢部材（例えば、コイルバネ（図示略））を備える
ことを特徴としている。
この特徴によれば、移動補助が不要なときに係止部を容易に係止解除状態とすることができる。
【手続補正１１】
【補正対象書類名】明細書
【補正対象項目名】００１１
【補正方法】変更
【補正の内容】
【００１１】
手段５の遊技機は、手段２〜手段４のいずれかに記載の遊技機であって、
前記可動体（例えば、第１可動体３０１）の一方側を上下方向に案内する第１案内手段（例えば、案内軸３０６Ｌ）と、
前記可動体の他方側を上下方向に案内する第２案内手段（例えば、案内軸３０６Ｒ）と、
を備え、
前記駆動体は、前記第１案内手段及び前記第２案内手段の双方に有する（例えば、略直方体をなす駆動体３１０Ｌ，３１０Ｒには、上下方向に貫通する貫通孔３３２Ｌ，３３２Ｒが形成されており、該貫通孔３３２Ｌ，３３２Ｒには案内軸３０６Ｌ，３０６Ｒが挿入される。図８−１３参照）
ことを特徴としている。
この特徴によれば、可動体を安定して移動させることができる。
【手続補正１２】
【補正対象書類名】明細書
【補正対象項目名】００１２
【補正方法】変更
【補正の内容】
【００１２】
手段６の遊技機は、手段３〜手段５のいずれかに記載の遊技機であって、
前記駆動体（例えば、駆動体３１０Ｌ，３１０Ｒ）が前記可動体（例えば、第１可動体３０１）を受け止めている状態で前記係止部（例えば、係止部材３４０Ｌ，３４０Ｒの係止爪３４０Ａ）が前記係止可能状態に変化したときに、該係止部と前記可動体の被係止部（例えば、係止凹部３１９Ｌ，３１９Ｒの下壁３１９Ａ）との間に所定の隙間（例えば、隙間Ｌ１０）が設けられる（図８−１９（Ｂ）参照）
ことを特徴としている。
この特徴によれば、係止部を好適に係止可能状態に変化させることができるとともに、駆動体が下方へ移動するときに可動体が移動しない場合は係止部が被係止部に係止されるので、可動体の第２位置から第３位置への移動を好適に補助できる。
【手続補正１３】
【補正対象書類名】明細書
【補正対象項目名】０１６４
【補正方法】変更
【補正の内容】
【０１６４】
本実施の形態では、後述するように第１可動体演出において画像表示装置５に表示される３Ｄ画像が、画像表示装置５の画像表示面よりも手前側（遊技者に近づく側）に突出されて見えるように輻輳位置が設定されているが、３Ｄ画像の見かけ上の突出具合が小さい輻輳位置Ａと、演出画像の見かけ上の突出具合が大きい輻輳位置Ｂとを設定可能であり、後述する第１可動体３０１の後部に対応する距離であって、遊技者から遠い輻輳位置Ａに３Ｄ画像があるように見える部分と、第１可動体３０１の前部に対応する距離であって、遊技者に近い輻輳位置Ｂに３Ｄ画像があるように見える部分と、を実現できるようにしてもよい。これにより、第１可動体３０１において、表示領域に近い後部分と遠い前部分とで３Ｄ画像の見かけ上の突出具合が異なるため、より立体感を生じさせることができる。また、上記輻輳位置Ａ，Ｂ以外にも複数の輻輳位置を設定した演出を実行可能としても良い。